(57)【要約】【課題】  ゲートキーパーやＳＩＰサーバーを導入せずに、ＶｏＩＰゲートウエイの簡易ゲートキーパー機能を使用して安価なサーバレスＩＰ電話ネットワークを構築した場合のネットワーク変更時のＶｏＩＰゲートウエイの設定変更を容易にする。【解決手段】  ＩＰ電話ネットワーク上の各ＶｏＩＰゲートウエイが自装置のＩＰアドレスと自装置配下の電話機の電話番号を定期的にブロードキャストで送受信することにより、自装置内に自動的に宛先電話番号と宛先ＩＰアドレスの関係を示すテーブルを形成する。【選択図】図１
2007104534.tif 000002
【特許請求の範囲】
【請求項１】
電話機や交換装置を収容し、ＩＰネットワークに接続するＶｏＩＰゲートウエイであって、
収容装置の収容情報に変更があった場合、自装置のアドレス情報と収容装置のアドレス情報をＩＰネットワークに対してブロードキャスト配信することを特徴とするＶｏＩＰゲートウエイ。
【請求項２】
前記ブロードキャスト配信したＶｏＩＰゲートウエイのアドレス情報と前記ＶｏＩＰゲートウエイに収容されている装置のアドレス情報を前記ＩＰネットワークより受信した場合、
前記ＶｏＩＰゲートウエイのアドレス情報と前記ＶｏＩＰゲートウエイに収容されている装置のアドレス情報を対応づけて格納する記憶手段を備えたことを特徴とする請求項１記載のＶｏＩＰゲートウエイ。
【請求項３】
電話機や交換装置を収容し、ＩＰネットワークに接続するＶｏＩＰゲートウエイであって、
定期的に自装置のアドレス情報と収容装置のアドレス情報をＩＰネットワークに対してブロードキャスト配信することを特徴とするＶｏＩＰゲートウエイ。
【発明の詳細な説明】
【技術分野】
【０００１】
本発明は、電話機や構内交換機（Private  Branch  Exchange：以下ＰＢＸとうい。）を収容し、Internet Protocol（以下ＩＰという。）ネットワークに接続するVoice over IP（以下ＶｏＩＰという。）ゲートウエイに関するものである。
【背景技術】
【０００２】
大規模なＩＰ電話ネットワークを構築するにあたり、既存のＰＢＸ（構内交換機）やIntegrated Services Digital Network（以下ＩＳＤＮという。）Ｉ回線をそのまま利用したい場合、ＶｏＩＰゲートウエイを導入するのが一般的である。
ＶｏＩＰゲートウエイは通常、電話番号とＩＰアドレスのテーブルを持っていないため、ＩＰ電話ネットワークには電話番号やＩＰアドレスを一括管理するためのゲートキーパー若しくは、Session  Initiation  Protocol（以下ＳＩＰという）サーバーを配備し、ＳＩＰサーバーがＶｏＩＰゲートウエイからの電話番号の問い合わせに対して宛先ＩＰアドレスを応答することにより、通話経路が確立する。
【０００３】
これにより、ＩＰ電話ネットワーク内の電話番号とＩＰアドレスの関係を示すテーブルを一元管理することを可能としている。
【０００４】
一方、中小規模のＩＰ電話ネットワークを既存のＰＢＸやＩＳＤＮ回線をそのまま利用しＶｏＩＰゲートウエイを使用して構築する場合、高価なゲートキーパー若しくはＳＩＰサーバーは導入せず、電話番号と宛先ＩＰアドレスのテーブルをＶｏＩＰゲートウエイ内に持つ簡易ゲートキーパー機能を内蔵したＶｏＩＰゲートウエイを導入することにより、安価なサーバーレスのＩＰ電話ネットワークを構築することができる。
【０００５】
しかし、この簡易ゲートキーパー機能を使用したサーバレスのＩＰ電話ネットワークの場合、ＶｏＩＰゲートウエイの増設や電話番号の追加や変更があった場合、その都度ＩＰ電話ネットワーク上の全てのＶｏＩＰゲートウエイの宛先電話番号と宛先ＩＰアドレスの関係を示すテーブルを変更する必要があり、管理運用面で問題があった。
【特許文献１】特開２００３−２９８６６０号公報
【非特許文献１】インターネット：２００５年１０月７日閲覧「ＶｏＩＰ  電話をのみ込むデータ・ネットワーク」URL（http://www.nittocom.co.jp/know_ad/Reference_doc/ncc980601.html）
【発明の開示】
【発明が解決しようとする課題】
【０００６】
解決しようとする課題は、簡易ゲートキーパー機能を備えたＶｏＩＰゲートウエイを配置したサーバーレスのＩＰ電話ネットワークにおいて、ＶｏＩＰゲートウエイの増設や収容する電話機等の端末装置の追加や変更した場合であっても、ＶｏＩＰゲートウエイ内部の宛先電話番号と宛先ＩＰアドレスの関係を示すテーブル適切に更新させることにある。
【課題を解決するための手段】
【０００７】
本発明の第１の発明は、電話機や交換装置を収容し、ＩＰネットワークに接続するＶｏＩＰゲートウエイであって、収容装置の設置に変更があった場合、自装置のアドレス情報と収容装置のアドレス情報をＩＰネットワークに対してブロードキャスト配信することを特徴とする。
【０００８】
本発明の第２の発明は、第１の発明であって、ブロードキャスト配信したＶｏＩＰゲートウエイのアドレス情報と前記ＶｏＩＰゲートウエイに収容されている装置のアドレス情報をＩＰネットワークより受信した場合、前記ＶｏＩＰゲートウエイのアドレス情報と前記ＶｏＩＰゲートウエイに収容されている装置のアドレス情報を対応づけて格納する記憶手段を備えたことを特徴とする。
【０００９】
簡易ゲートキーパー機能を持ったＶｏＩＰゲートウエイが自装置のＩＰアドレスと自装置の配下に接続された電話機の電話番号をＩＰ電話ネットワーク上に定期的にブロードキャスト配信し、それを受信した各ＶｏＩＰゲートウエイが自装置内の宛先電話番号と宛先ＩＰアドレスの関係を示すテーブルの内容を定期的に追加更新することを特徴とする。
【発明の効果】
【００１０】
本発明のＶｏＩＰゲートウエイは、電話機等の端末装置を増設（減設）して収容するような場合は、対象となる端末装置の電話番号を、ＶｏＩＰゲートウエイに設定更新するだけで、その更新情報をＩＰ電話ネットワークに自動的にブロードキャスト送信し、それを受信した全てのＶｏＩＰゲートウエイが自装置内の宛先電話番号と宛先ＩＰアドレスの関係を示すテーブルの内容を自動更新するようにしたため、ＩＰ電話ネットワークの管理運用が容易になるという利点がある。
【発明を実施するための最良の形態】
【００１１】
ＶｏＩＰゲートウエイの簡易ゲートキーパー機能を利用したサーバレスのＩＰ電話ネットワークおいて、ＩＰ電話ネットワークの増設や移設時の接続情報変更をＶｏＩＰゲートウエイの機能だけで容易に実現する。
【実施例１】
【００１２】
図１は、本発明のＶｏＩＰゲートウエイ２を使用したサーバレスＩＰ電話ネットワークの一例である。ＶｏＩＰゲートウエイ２はＩＰ網１を介してそれぞれ接続され、ＶｏＩＰゲートウエイ２の配下には、電話機４が直接またはＰＢＸ３を介して接続され、それぞれの電話機４間で通話が可能となっている。
【００１３】
図２は、図１のＩＰ電話ネットワークにおける各ＶｏＩＰゲートウエイ２内部のアドレス情報テーブルの一例である。これには、ＩＰネットワーク上のＶｏＩＰゲートウエイに収容されている電話機の電話番号とそれらを収容しているＶｏＩＰゲートウエイのＩＰアドレスが格納されている。
【００１４】
具体的に説明すると、ＩＰアドレスが「Ａ」のＶｏＩＰゲートウエイには、相手先になるであろうＩＰアドレスが「Ｂ，Ｃ，Ｄ」のＶｏＩＰゲートウエイに収容されている電話機の電話番号「２０１，２０２，３０１，３０２，４０１，４０２」と、それらを収容しているＶｏＩＰゲートウエイのＩＰアドレスが対応づけられて格納されている。
【００１５】
各ＶｏＩＰゲートウエイ２は、定期的に、収容している（自装置配下）の電話機４の電話番号と自装置のＩＰアドレスをブロードキャストで配信し、その情報を基にテーブルを構築する。これにより、アドレステーブルが構築・更新され、宛先電話番号に対する宛先ＩＰアドレスが分かり発信し通信することが可能となる。
【００１６】
図３は、図１のＩＰ電話ネットワークのＩＰアドレス「Ｄ」のＶｏＩＰゲートウエイ２の配下に電話番号４０３の電話機４が一台追加された状態を示したものである。
ここで、ＩＰアドレス「Ｄ」のＶｏＩＰゲートウエイ２には、電話番号４０３の電話機が追加されたという情報を設定する。
【００１７】
収容情報を変更されたＩＰアドレス「Ｄ」のＶｏＩＰゲートウエイは、その追加された電話機４の電話番号と自装置のＩＰアドレスをブロードキャストで配信する。また、ブロードキャストパケットを受け取った他のＶｏＩＰゲートウエイ２は、その情報を基にテーブルに更新（宛先電話番号４０３と宛先ＩＰアドレスであるＩＰアドレス「Ｄ」を対応づけて）追加する。
【００１８】
図４は、図３でＩＰアドレス「Ｄ」のＶｏＩＰゲートウエイ２に追加された電話機４の情報が各ＶｏＩＰゲートウエイ２の内部テーブルに追加された状態を示すものである。
【００１９】
ブロードキャストを受信したＩＰアドレスが「Ａ，Ｂ，Ｃ」のＶｏＩＰゲートウエイは、ＩＰアドレスが「Ｄ」のＶｏＩＰゲートウエイに収容されている電話機の電話番号「４０３」と該電話機の宛先ＩＰアドレスである該電話機を収容しているＶｏＩＰゲートウエイ「Ｄ」のＩＰアドレスが追加される。
【００２０】
従って、電話機やＰＢＸを収容しＩＰネットワークに接続するＶｏＩＰゲートウエイであって、該ＶｏＩＰゲートウエイ内部に宛先電話番号と宛先ＩＰアドレスの関係を示すテーブルを持った簡易ゲートキーパー機能を内蔵し、宛先電話番号と宛先ＩＰアドレスの関係を記憶し、ＶｏＩＰゲートウエイからの電話番号問い合わせに対して宛先ＩＰアドレスを応答するゲートキーパーもしくはＳＩＰサーバーをＩＰ電話ネットワーク上に配備せずに、ＶｏＩＰゲートウエイが自装置のＩＰアドレスと自装置の配下に接続された電話機の電話番号をＩＰネットワークに対してブロードキャストで配信し、その情報を受け取ったＶｏＩＰゲートウエイが自動的にその情報を自装置内の宛先電話番号と宛先ＩＰアドレスの関係を示すテーブルに反映させることにより、リアルタイムにＩＰ電話ネットワーク全体の接続情報の更新を行えるようにしたＶｏＩＰゲートウエイを提供することができるようになる。
【図面の簡単な説明】
【００２１】
【図１】本発明におけるＶｏＩＰゲートウエイを使用したサーバレスのＩＰ電話ネットワーク図である。
【図２】本発明における各ＶｏＩＰゲートウエイの内部テーブルを示す図（１）である。
【図３】本発明におけるＩＰ電話ネットワークにおいて、ＶｏＩＰゲートウエイに電話機が一台追加収容された図である。
【図４】本発明における各ＶｏＩＰゲートウエイの内部テーブルを示す図（２）である。
【符号の説明】
【００２２】
１  ＩＰ網
２  ＶｏＩＰゲートウエイ
３  ＰＢＸ
４  電話機
【図１】
2007104534.tif 000003
【図２】
2007104534.tif 000004
【図３】
2007104534.tif 000005
【図４】
2007104534.tif 000006